(57)【要約】【課題】キャリッジロック部材の戻し忘れによるキャリッジのロック不良が発生せず、キャリッジの確実なロックを可能とする画像形成装置を提供する。【解決手段】補助部材１０２の側面に設けた引っ掛け部１０２ｂが維持回復装置のフレーム１００に形成された突き当て部１００ｂに突き当たっている。この状態でカム部材６６が回転すると補助部材１０２を押し下げ、補助部材１０２の先端に設けた爪部１０２ａが下がり、キャリッジロック部材６５の突起部６５ｃの引っ掛かりが解除される。これにより、キャリッジロック部材６５を手動により第一の非ロック位置に戻さずとも、カム部材６６が回転することでキャリッジロック部材６５の固定（第二の非ロック位置での保持）が解除される。【選択図】図１６
2016068517.tif 000002
【特許請求の範囲】
【請求項１】
記録液を吐出するノズルを有する記録ヘッドと、該記録ヘッドのノズル面をキャッピングするキャッピング手段と、前記記録ヘッドを搭載したキャリッジと、該キャリッジを所定位置でロックするキャリッジロック部材とを有する画像形成装置において、
前記キャリッジロック部材は、前記キャリッジをロックするロック位置と、前記キャリッジに対するロックが解除された第一の非ロック位置と、前記キャリッジに対するロックが解除され且つ画像形成装置本体に干渉しない第二の非ロック位置とに移動可能に設けられ、
前記キャリッジロック部材を前記第二の非ロック位置で保持する保持部材と、
前記キャッピング手段をキャッピング方向及びキャッピング解除方向に移動させる駆動部材と
を備え、
前記キャリッジロック部材が前記第二の非ロック位置で前記保持部材に保持された状態で前記駆動部材を動作させることにより、前記保持部材による前記キャリッジロック部材の保持が解除されることを特徴とする画像形成装置。
【請求項２】
前記記録ヘッドの状態を維持・回復するための維持回復装置を備え、
前記キャリッジロック部材が前記維持回復装置に配置されていることを特徴とする、請求項１に記載の画像形成装置。
【請求項３】
前記キャッピング手段が前記記録ヘッドのノズル面をキャッピングした状態では、前記キャリッジと前記キャリッジロック部材が非接触であることを特徴とする、請求項１又は２に記載の画像形成装置。
【請求項４】
前記キャリッジロック部材の前記キャリッジに対する移動量を規制する規制手段が、前記維持回復装置に設けられていることを特徴とする、請求項２に記載の画像形成装置。
【請求項５】
前記キャリッジロック部材をロック方向に付勢する付勢手段を有することを特徴とする、請求項１〜４のいずれか１項に記載の画像形成装置。
【請求項６】
前記キャリッジロック部材と前記キャッピング手段が、前記駆動部材を介して連動するように構成されていることを特徴とする、請求項１〜５のいずれか１項に記載の画像形成装置。
【請求項７】
前記記録ヘッドとして、同色の記録液を吐出する複数のヘッドが副走査方向にずれて配置された記録ヘッドを含み、
前記キャリッジロック部材と前記キャリッジとの係合部が、前記キャリッジの主走査方向への移動をガイドするガイド部材の近傍に設けられていることを特徴とする、請求項１〜６のいずれか１項に記載の画像形成装置。
【発明の詳細な説明】
【技術分野】
【０００１】
本発明は、吐出ヘッドから液滴を吐出して画像を形成する画像形成装置に関する。
【背景技術】
【０００２】
プリンタ、ファクシミリ、複写装置、プロッタ、プリンタ／ファックス／複写機の機能を備える複合機等の各種画像形成装置として、記録液（以下、「インク」ともいう）の液滴を吐出する液滴吐出ヘッドで構成した記録ヘッドをキャリッジに搭載し、このキャリッジを被記録媒体（以下「用紙」というが、材質を紙に限定するものではなく、また、記録媒体、記録紙、転写材などとも称される）の搬送方向に対して直交する方向にシリアルスキャンさせるとともに、被記録媒体を記録幅に応じて間歇的に搬送し、搬送と記録を交互に繰り返すことによって被記録媒体に画像を形成（記録、印刷、印字、印写も同義で使用する）するシリアル型画像形成装置がある。
【０００３】
このような画像形成装置においては、記録液を吐出する記録ヘッドの性能を維持、回復する装置が不可欠である。このヘッドの性能維持回復を行なうための維持回復装置は、一般に、記録液であるインクの自然蒸発によるノズル付近の記録液の増粘固着を防止するためにノズル面を高い密閉性を保って覆うための保湿用キャップ、ノズルから増粘した記録液を吸引して排出するための吸引用キャップ（保湿用キャップと兼用されることもある）、ノズル面に付着した記録液を拭き取って除去するためのワイパーブレード（クリーニングブレード、ワイパー、ブレード部材、ブレードも同じ意味で用いられる）、画像形成に寄与しない液滴を吐出する空吐出を行なうための空吐出受けなどで構成される。
【０００４】
このような維持回復装置において、キャッピング手段によるキャッピング中にキャリッジの位置が移動すると、ノズル面のキャッピングが不完全になり、ノズル内のインク乾燥を加速させるためインクの増粘による吐出不良が発生する。また、これ以外にも物理的接触によりキャッピング手段のノズル面シール部に傷が入ることによるインク吸引時のリークによる吸引不良を引き起こす可能性もある。
【０００５】
そこで、例えば特許文献１（特開２０００−０８５１５６号公報）に記載されているように、吸引用キャップで記録ヘッドのノズル面をキャッピングした状態で記録ヘッドから記録液を吸引するとき、当該記録ヘッドがキャップからはずれないように固定するために、記録ヘッドが搭載されているキャリッジを所定の位置にロックするキャリッジロック部材を備えるものがある。特許文献１の装置では、更に小型化を図るために、このキャリッジロック部材、ノズル面からインクを拭き取るワイピング部材、ノズルからインクを吸引する吸引ポンプの駆動機構の共通化を図るようにしている。
【０００６】
なお、キャリッジロックは、画像形成装置以外にも例えば特許文献２（特開平０９−０６９８９９号公報）に記載されているように画像読取装置でも行なわれている。
【発明の概要】
【発明が解決しようとする課題】
【０００７】
従来の画像形成装置では、生産性向上のために、同色のインクを吐出する記録ヘッドを副走査方向にずらした千鳥配置された記録ヘッドを搭載するものがある。千鳥配列された複数個の記録ヘッドが搭載されたキャリッジは大きくかつ重くなり、キャリッジを固定するためのキャリッジロックの位置や強度が問題となる。
【０００８】
キャリッジロックの位置や強度の問題とは、例えばキャリッジロックがキャリッジを走査する駆動部から遠い側にあると、キャリッジロックが正しくロックされていても、移動や輸送などによる振動や衝撃によりキャリッジが変形し正しい位置でロックされない場合がある。この状態でキャッピングが行われると、ノズル面からずれた位置でキャッピングした状態になる。
【０００９】
また、キャリッジロックが設けられた維持回復装置では、維持回復装置を画像形成装置本体から取り外す時に、キャリッジロックは第一の非ロック位置にあるが、本体装置の開口部にキャリッジロックが干渉してしまう。
【００１０】
干渉回避のため本体装置の開口部を切り欠くことが困難である場合、キャリッジロックを第二の非ロック位置に退避させ、第二の非ロック位置で固定し、本体装置から取り出すように構成される。また、取り出した維持回復装置を本体装置へ装着する時も、キャリッジロックは第二の非ロック位置に固定された状態で本体装置に装着し、キャリッジロックを第二の非ロック位置の固定を解除し第一の非ロック位置に戻す必要がある。
【００１１】
しかし、第二の非ロック位置から第一の非ロック位置へ戻すことを忘れると、キャッピングホルダ駆動部材と連動してキャリッジロック部材が係合する位置に移動せず、キャリッジのロック不良が発生するという問題があった。
【００１２】
また、特許文献３（特許第４６１４８４０号公報）には、維持回復装置の小型化を図るとともにキャリッジロックが正しく行なわれていないときにはキャッピング手段がノズル面に当接しない画像形成装置を提供する目的で、キャップホルダの側面に凸部（１４１）を設ける一方、キャリッジロック部材の側面にはロック方向で前記凸部（１４１）と係合する凸部（１４０ａ）と、非ロック方向で前記凸部（１４１）と係合する凸部（１４０ｂ）とを設け、キャップホルダがキャップをノズル面に当接させてキャッピングするために上昇するときに凸部１４１が凸部１４０ａに係合して、キャリッジロック部材がロック方向に上昇してキャリッジをロックし、キャップホルダがキャップをノズル面から離間するために下降するときに凸部１４１が凸部１４０ｂに係合して、キャリッジロック部材が非ロック方向に下降する構成が開示されている。
【００１３】
しかし、特許文献３には、千鳥配列の記録ヘッドを搭載したキャリッジのように、大きなキャリッジをロックする点については記載されておらず、また、キャリッジロックを第二の非ロック位置から第一の非ロック位置へ戻すことを忘れた場合のキャッピングホルダ駆動部材と連動してキャリッジロック部材が係合する位置に移動しないという問題は解消できていない。
【００１４】
本発明は、キャリッジロック部材の戻し忘れによるキャリッジのロック不良が発生せず、キャリッジの確実なロックを可能とする画像形成装置を提供することを目的とする。
【課題を解決するための手段】
【００１５】
前記の課題を解決するため、本発明は、記録液を吐出するノズルを有する記録ヘッドと、該記録ヘッドのノズル面をキャッピングするキャッピング手段と、前記記録ヘッドを搭載したキャリッジと、該キャリッジを所定位置でロックするキャリッジロック部材とを有する画像形成装置において、前記キャリッジロック部材は、前記キャリッジをロックするロック位置と、前記キャリッジに対するロックが解除された第一の非ロック位置と、前記キャリッジに対するロックが解除され且つ画像形成装置本体に干渉しない第二の非ロック位置とに移動可能に設けられ、前記キャリッジロック部材を前記第二の非ロック位置で保持する保持部材と、前記キャッピング手段をキャッピング方向及びキャッピング解除方向に移動させる駆動部材とを備え、前記キャリッジロック部材が前記第二の非ロック位置で前記保持部材に保持された状態で前記駆動部材を動作させることにより、前記保持部材による前記キャリッジロック部材の保持が解除されることを特徴とする。
【発明の効果】
【００１６】
本発明の画像形成装置によれば、キャリッジロック部材が第二の非ロック位置で保持部材に保持された状態で駆動部材を動作させることにより、保持部材によるキャリッジロック部材の保持が解除されるので、キャリッジロック部材を手動により第一の非ロック位置に戻さずとも、キャリッジロック部材の固定（第二の非ロック位置での保持）が解除される。したがって、キャリッジロック部材の戻し忘れによるキャリッジのロック不良が発生せず、キャリッジの確実なロックが可能となる。
【図面の簡単な説明】
【００１７】
【図１】画像形成装置としてのインクジェット記録装置の一例を示す全体構成図である。
【図２】キャリッジ走査機構部を示す斜視図である。
【図３】ヘッドホルダをキャリッジに装着する様子を示す斜視図である。
【図４】黒用ヘッドホルダ及びカラー用ヘッドホルダの平面図である。
【図５】黒用ヘッドホルダ及びカラー用ヘッドホルダの別例の平面図である。
【図６】キャリッジロックの構成を模式的に示す図であり、キャリッジがロックされた状態を示すものである。
【図７】キャリッジロックの構成を模式的に示す図であり、キャリッジのロックが解除された状態を示すものである。
【図８】キャリッジと維持回復装置の具体的な形態例を示す斜視図である。
【図９】図８の一部を拡大して示した図である。
【図１０】図８の側面図であり、キャリッジロック部材がキャリッジの係合部に係合した様子を示している。
【図１１】維持回復装置が本体側板にネジで固定されているところを示す側面図である。
【図１２】画像形成装置本体から維持回復装置を取り出す様子を示す部分斜視図である。
【図１３】取り出し時のキャリッジロック部材近傍の拡大図である。
【図１４】キャリッジロック部材が第二の非ロック位置に移動した状態を模式的に示す図である。
【図１５】具体的な形態例によりキャリッジロック部材の動作を説明する図である。
【図１６】キャリッジロック部材が自動的に第二の非ロック位置から戻る構成における動作を説明する図である。
【図１７】キャリッジロック部材の近傍を詳しく示す拡大図である。
【発明を実施するための形態】
【００１８】
まず、キャリッジ構成の比較例について図１及び図２を参照して説明する。なお、図１は画像形成装置としてのインクジェット記録装置の一例を示す全体構成図である。また、図２は、キャリッジ走査機構部を示す斜視図である。
【００１９】
画像形成装置本体１の内部には、図示しない両側板にガイド部材であるガイドロッド３及びガイドステー４が掛け渡され、これらのガイドロッド３及びガイドステー４にキャリッジ５が矢示Ａ方向に摺動可能に保持されている。
【００２０】
キャリッジ５には、ブラック（Ｋ）、イエロー（Ｙ）、マゼンタ（Ｍ）、シアン（Ｃ）の各色のインク滴を吐出する液体吐出ヘッドからなる記録ヘッド６が搭載されている。各記録ヘッド６には図示しないが、各記録ヘッドにインクを供給するヘッドタンクが一体的に備えられている。
【００２１】
そして、キャリッジ５を移動走査する主走査機構部１０は、主走査方向の一方側に配置される駆動モータ１１と、駆動モータ１１によって回転駆動される駆動プーリ１２と、主走査方向他方側に配置された従動プーリ１３と、駆動プーリ１２と従動プーリ１３との間に掛け回された牽引部材であるタイミングベルト１４とを備えている。なお、従動プーリ１３は、図示しないテンションスプリングによって外方（駆動プーリ１２に対して離れる方向）にテンションが架けられている。
【００２２】
このキャリッジ５における主走査領域のうち、記録領域では、用紙２０が吸引搬送部７によってキャリッジ５の主走査方向と直交する方向（副走査方向、用紙搬送方向：矢示Ｂ方向）に間欠的に搬送される。
【００２３】
また、主走査領域のうち一方の端部側領域には、記録ヘッド６の維持回復を行う維持回復装置８が配置されている。さらに、主走査方向のキャリッジ移動領域外又は、上記主走査領域のうち他方の端部側領域には、記録ヘッド６のサブタンクに供給する各色のインクを収容したメインカートリッジ９が装置本体１に対して着脱自在に装着される。
【００２４】
また、給紙手段２１には、ロール紙（以下「用紙」という）２０がセットされているが、幅方向のサイズが異なるロール紙がセット可能である。給紙手段２１から搬送された用紙２０は、装置本体１の後方から前方に向けて、搬送手段により記録領域へ搬送される。そして、キャリッジ５を主走査方向に移動し、吸引搬送部７にて用紙２０を間欠的に送りながら、記録ヘッド６を画像情報に応じて駆動して液滴を吐出させることによって、用紙２０上に所要の画像が形成される。さらに、画像形成後の用紙２０は、所定の長さにカットされ、装置本体１の正面側に配置された図示しない排紙トレイへ排出される。
【００２５】
図３は上記比較例におけるヘッドホルダをキャリッジに装着する様子を示す斜視図で、図３（ａ）は装着前の状態を、図３（ｂ）は装着状態を示す。
キャリッジ５には、黒用のヘッドホルダ５１Ａと、カラー用のヘッドホルダ５１Ｂとが保持されている。
【００２６】
ヘッドホルダ５１Ａには、副走査方向に千鳥状に配置されたブラックの液滴を吐出する２つの記録ヘッド６Ａ、６Ｂが搭載されている。ヘッドホルダ５１Ｂには、記録ヘッド６Ａと副走査方向位置を同じくして、イエロー、マゼンタ、シアンの液滴を吐出する３つの記録ヘッド６Ｃ、６Ｄ、６Ｅが搭載されている。なお、前記のとおり、記録ヘッドを区別しないときは「記録ヘッド６」と称している。なお、ヘッドホルダ５１Ａ、５１Ｂで保持する記録ヘッド６は１個でもよい。
【００２７】
ここで、キャリッジ５には、ガイドロッド３と同じ方向に基準部材としての基準軸部材７１が設けられている。そして、ヘッドホルダ５１Ａ、５１Ｂ（以下、区別しないときには、「ヘッドホルダ５１」という。）には、基準軸部材７１に着脱可能に嵌り込むフック形状の引っ掛け部５３が設けられ、ヘッドホルダ５１Ａ、５１Ｂは引っ掛け部５３を基準軸部材７１に引っ掛けることでキャリッジ５に保持されている。なお、基準軸部材７１は円柱状、多角形状とすることができる。
【００２８】
このように、基準軸部材７１をキャリッジ５のガイド部材（ガイドロッド３）と同じ方向に配置することで、副走査方向、高さ方向、あおり方向、主走査方向の傾きの位置精度が向上する。
ここで、特許文献３に開示されたキャリッジロックの構成を、図３のキャリッジに適用した場合について、図４および図５を参照して説明する。
【００２９】
図４，５には、黒用ヘッドホルダ５１Ａ及びカラー用ヘッドホルダ５１Ｂの平面図が示されている。特許文献３の構成は、キャリッジの底面側に凹部（ロック部材係合部）を設けて、キャリッジロック部材の先端部を上記凹部に嵌合させるものである。この構成を図３のキャリッジのロックに適用すると、図４に示すように黒用ヘッドホルダ５１Ａの底面側に係合部２２０を設けるか、図５に示すようにカラー用ヘッドホルダ５１Ｂの底面側に係合部２２０を設けることになる。
【００３０】
この係合部２２０の位置は、ガイドロッド３やキャリッジ５を主走査方向に駆動するタイミングベルト１４（図２）から遠い位置にあり、千鳥配列ヘッドを搭載したキャリッジ５を固定するには不安定である。
【００３１】
図６及び図７は、本発明によるキャリッジロックの構成を模式的に示す図であり、ヘッドホルダ５１を搭載したキャリッジ５を、ガイドロッド３の軸方向から見た状態で示してある。なお、図６はキャリッジがロックされた状態、図７はキャリッジのロックが解除された状態である。
【００３２】
図６，７に示されている部材を列記すると、ガイドロッド３、キャリッジ５、記録ヘッド６（ブラック記録ヘッド６Ａ，シアン記録ヘッド６Ｅ）、ヘッドホルダ５１（黒用ヘッドホルダ５１Ａ，カラー用ヘッドホルダ５１Ｂ）、キャップ６２（黒用キャップ６２Ａ，シアン用キャップ６２Ｅ）、キャリッジロック部材６５、キャップホルダ１０１（黒用キャップホルダ１０１Ａ，カラー用キャップホルダ１０１Ｂ）、ロック部材係合部１２０、カム部材６６、リンク部材６７である。
【００３３】
図６，７の構成において、キャリッジロック部材６５は、回動支点である回動軸６５ｂを中心に回動可能となっている。また、カム部材６６は、カム軸６６ａを中心に回動可能となっている。さらに、リンク部材６７は、回動軸６７ａを中心に回動可能となっている。そして、リンク部材６７は、一端がカム部材６６に当接され、他端がキャップホルダ１０１（図示例ではカラー用キャップホルダ１０１Ｂ）に軸着され、カム部材６６とキャップホルダ１０１とに連結されている。
【００３４】
このような構成により、キャップホルダ１０１とキャリッジロック部材６５とが、カム部材６６及びリンク部材６７を介して連動するように構成されている。すなわち、カム部材６６が回転しリンク部材６７が回動軸６７ａを中心に回転するとキャップホルダ１０１（図示例ではカラー用キャップホルダ１０１Ｂ）が図の垂直方向に昇降する。このとき、カム部材６６の回動によりキャリッジロック部材６５が回動軸６７ａを中心に回動される。
【００３５】
図６のように、キャップホルダ１０１Ｂが上昇位置（記録ヘッド６をキャッピングする位置）にあるとき、キャリッジロック部材６５の先端部６５ａがキャリッジ５の係合部１２０に係合してロック位置となる。また、図７のように、キャップホルダ１０１Ｂが下降位置にあるとき（キャッピング解除状態のとき）、キャリッジロック部材６５の先端部６５ａはキャリッジ５の係合部１２０から外れる第一の非ロック位置となる。なお、キャップホルダ１０１（黒用キャップホルダ１０１Ａ，カラー用キャップホルダ１０１Ｂ）を駆動する駆動部材であるカム部材６６は、図示しない駆動機構により回転駆動される。
【００３６】
図６，７の構成において、係合部１２０の位置は、ガイドロッド３のすぐ近くにあり、ヘッドホルダ５１及びキャリッジ５を確実にロックすることができる。そのため、記録ヘッドとして千鳥配列ヘッドを搭載したキャリッジであっても、確実なロックが可能である。
【００３７】
次に、図６，７で説明した構成の具体的な形態例について説明する。
図８は、キャリッジ５と維持回復装置６１を示す斜視図である。維持回復装置６１は、図１の画像形成装置では符号８として示されている。図１の維持回復装置８のように、維持回復装置は通常、記録ヘッドを搭載したキャリッジの移動方向（主走査方向）の印字範囲外に設けられており、維持回復動作を実施する際には、キャリッジ５を印字範囲外の維持回復装置８の位置に移動させて維持回復動作を行う。図８では、キャリッジ５が維持回復動作実施位置にある様子を示している。図９は、図８の一部を拡大して示したものである。
【００３８】
図８，９に示すように、維持回復装置６１の上部に位置してキャリッジロック部材６５が、回動軸６５ｂにより回動可能に支持されており、キャリッジ５の側面に凸設された係合部１２０の溝にロック部材６５の先端部６５ａが嵌合することで、キャリッジ５がロックされる。
【００３９】
図１０は、図８の側面図であり、キャリッジロック部材６５がキャリッジ５の係合部１２０に係合した様子を示してある。また、図１１は、維持回復装置６１が本体側板１３０にネジ１３１で固定されているところを示している。
【００４０】
ここで、図１１において、維持回復装置６１を本体側板１３０に固定した状態のとき、キャリッジロック部材６５の先端部は本体側板１３０の裏側に隠れて見えない。すなわち、維持回復装置６１を本体装置から取り出すときに、キャリッジロック部材６５は本体側板１３０に干渉するレイアウトとなっている。そのままでは維持回復装置６１の取出しができないため、キャリッジロック部材６５を逃がすように本体側板１３０を切り欠く構成も考えられるが、その場合には、その切り欠きがネジ１３１による固定部の近傍となるため、強度不足が懸念される。そこで、本実施形態では、キャリッジロック部材６５を、本体側板１３０に干渉しない第二の非ロック位置に移動できるように構成している。
【００４１】
本実施形態における、維持回復装置の着脱について図１２〜図１４を参照して説明する。図１２は、画像形成装置本体から維持回復装置６１を取り出す様子を示す部分斜視図である。そして、図１３は、取り出し時のキャリッジロック部材６５近傍の拡大図である。また、図１４は、キャリッジロック部材６５が第二の非ロック位置に移動した状態を模式的に示す図である。
【００４２】
キャリッジロック部材６５は、先に図７で説明したように、キャップホルダ１０１Ｂが下降位置にあるとき（キャッピング解除状態のとき）、キャリッジロック部材６５の先端部６５ａがキャリッジ５の係合部１２０から外れる第一の非ロック位置となる。本実施形態では、その第一の非ロック位置からさらにキャリッジロック部材６５が回動して、キャリッジロック部材６５が本体側板１３０に干渉しない第二の非ロック位置に回動できるように構成している。
【００４３】
キャリッジロック部材６５を第二の非ロック位置に回動させると、図１２〜図１５に示すように、キャリッジロック部材６５が本体側板１３０に干渉しなくなり、維持回復装置６１を図１２に太矢印で示す方向に引き出すことによって、維持回復装置６１を画像形成装置本体から取り出すことができる。
【００４４】
図１５は、具体的な形態例によりキャリッジロック部材の動作を説明する図である。
図１５（ａ）は、キャリッジロック部材６５が、キャリッジ５の係合部１２０に勘合したロック状態を示している。図１５（ｂ）は、キャリッジロック部材６５が第一の非ロック位置に回動して、キャリッジ５の係合部１２０から外れた状態を示している。図１５（ｃ）はキャリッジロック部材６５が第一の非ロック位置から第二の非ロック位置に移動して固定保持された状態を示している。
【００４５】
本実施形態では、キャリッジロック部材６５は、手動により第一の非ロック位置から第二の非ロック位置に回動できるように設けている。また、図１５に示すように、キャリッジロック部材６５の側面に突起部６５ｃが設けてある。維持回復装置６１のフレーム１００には引っ掛け部１００ａが設けてある。そして、キャリッジロック部材６５を第一の非ロック位置から図の時計回り方向に手動で回転させて第二の非ロック位置に移動させると、キャリッジロック部材６５の突起部６５ｃが維持回復装置６１のフレーム１００に設けた引っ掛け部１００ａに引っかかって図１５（ｃ）の姿勢で固定される。
【００４６】
引っ掛け部１００ａは樹脂製のフレーム１００の一部を利用しているため弾性変形することで、キャリッジロック部材６５を回動軸６５ｂを中心に手動で第一の非ロック位置と第二の非ロック位置の間を移動させることが出来る。
【００４７】
図１５（ｃ）に示す第二の非ロック位置の状態で維持回復装置６１を画像形成装置本体から取り出す。先に述べたように、キャリッジロック部材６５を第二の非ロック位置に回動させると、キャリッジロック部材６５が本体側板１３０に干渉しなくなり、維持回復装置６１を画像形成装置本体から取り出すことができる。本実施形態では、画像形成装置の本体側板１３０に切り欠き等を設ける必要がないため、画像形成装置本体の強度不足を招くことがない。
【００４８】
ところで、維持回復装置６１を画像形成装置本体に再度装着したときに、キャリッジロック部材６５の突起部６５ｃが維持回復装置６１のフレーム１００に設けた引っ掛け部１００ａに引っかかったままでは、キャリッジロック部材６５は第二の非ロック位置にある。キャリッジロック部材６５を手動で第二の非ロック位置から第一の非ロック位置へと戻すことを忘れてしまうと、キャリッジ５のロックができなくなってしまう。すなわち、図１５の構成において、キャリッジロック部材６５が図１５（ｃ）に示す第二の非ロック位置のままであると、カム部材６６が回動してもキャリッジロック部材６５を回動させることができず、キャリッジロック部材６５の先端部６５ａがキャリッジ５の係合部１２０に係合しなくなる。
【００４９】
そこで本実施形態では、維持回復装置６１のキャップホルダ１０１（黒用キャップホルダ１０１Ａ，カラー用キャップホルダ１０１Ｂ）を駆動するための駆動部材すなわちカム部材６６を動作させることによって、キャリッジロック部材６５が自動的に第二の非ロック位置から第一の非ロック位置へと戻るように構成している。以下、その構成を図１６を参照して説明する。
【００５０】
図１６（ａ）は、キャリッジロック部材６５が、キャリッジ５の係合部１２０に勘合したロック状態を示している。図１６（ｂ）は、キャリッジロック部材６５が第一の非ロック位置に回動して、キャリッジ５の係合部１２０から外れた状態を示している。図１６（ｃ）はキャリッジロック部材６５が第一の非ロック位置から第二の非ロック位置に移動して固定保持された状態を示している。
【００５１】
図１６に示す構成では、維持回復装置６１のフレーム１００の内部に補助部材１０２が配設されている。補助部材１０２は圧縮スプリング１０３で押圧され、補助部材１０２の側面に設けた引っ掛け部１０２ｂが維持回復装置のフレーム１００に形成された突き当て部１００ｂに突き当たっている。この状態でカム部材６６が回転するとカム部材６６のカムの外周が補助部材１０２の押下げ部１０２ｃに接触して補助部材１０２を押し下げる。これにより、補助部材１０２の先端に設けた爪部１０２ａが下がり、キャリッジロック部材６５の突起部６５ｃの引っ掛かりが解除される。
【００５２】
キャリッジロック部材６５と維持回復装置６１との間には引張スプリング１４５が配設されており、キャリッジロック部材６５の突起部６５ｃが補助部材１０２の爪部１０２ａから外れると、引張スプリング１４５によって引っ張られ、キャリッジロック部材６５は図中反時計回り方向に回動する。
【００５３】
このような構成により、維持回復装置６１を画像形成装置本体に装着したときに、キャリッジロック部材６５を手動により第一の非ロック位置に戻さずとも、カム部材６６が回転することでキャリッジロック部材６５の固定（第二の非ロック位置での保持）が解除され、キャリッジロック部材６５が第一の非ロック位置へ自動的に復帰する。
【００５４】
キャリッジロック部材６５が第一の非ロック位置に復帰した後、維持回復装置６１のキャップホルダ１０１（黒用キャップホルダ１０１Ａ，カラー用キャップホルダ１０１Ｂ）をキャッピング位置に移動させるためにカム部材６６が更に回転すると、キャリッジロック部材６５が回転して、キャリッジロック部材６５の先端部６５ａがキャリッジ５の係合部１２０に係合するロック位置となり、キャリッジ５及びヘッドホルダ５１が確実にロックされる。先に述べたように係合部１２０の位置は、ガイドロッド３のすぐ近くにあるため、記録ヘッドとして千鳥配列ヘッドを搭載したキャリッジであっても、確実なロックが可能である。
【００５５】
図１７は、キャリッジロック部材６５の近傍を詳しく示す拡大図であり、図１７（ａ）は側面図、図１７(ｂ)は斜視図である。
キャリッジロック部材６５がロック位置にあるとき、キャリッジロック部材６５の下端部に設けられた突き当て面６５ｄは維持回復装置６１の規制部（図示無し）に突き当たり、カム部材６６のカム外周６６ｂとは非接触状態にあり、キャリッジロック部材６５の先端部６５ａはキャリッジ５の係合部１２０に対して、キャリッジロック部材６５の回転方向においてキャリッジ５とキャリッジロック部材６５が非接触状態にある（この時キャッピング状態）。
【００５６】
これにより、引張スプリング１４５の荷重が大きくなってもキャリッジ５に対しては主走査方向に対してロックするだけで、キャリッジロック部材６５の回転方向に負荷を与えない。
【００５７】
また、キャップ６２により記録ヘッド６のノズル面をキャッピングした状態では、キャリッジ５とキャリッジロック部材６５がロック部材６５の回転方向において非接触状態であるため、キャリッジロック部材６５が正規にロックしないような位置にキャリッジ５があるときに、キャリッジロック部材６５が障害となってキャップ６２が記録ヘッド６のノズル面に当接できない。そのため、キャッピング手段（キャップ６２）にダメージが与えられることを防止できる。
【００５８】
また、キャリッジロック部材６５の突き当て面６５ｄが突き当たる前記規制部（図示無し）が維持回復装置６１に設けられることにより、キャリッジロック部材を保持する側にキャリッジに対する移動量を規制する規制部材が設けられていることとなり、キャッピング手段（キャップ６２）にダメージが与えられることを防止できる。
【００５９】
以上説明したように、本発明の画像形成装置においては、キャリッジロック部材が第二の非ロック位置で保持部材に保持された状態で駆動部材を動作させることにより、保持部材によるキャリッジロック部材の保持が解除されるので、キャリッジロック部材を手動により第一の非ロック位置に戻さずとも、キャリッジロック部材の固定（第二の非ロック位置での保持）が解除される。したがって、キャリッジロック部材の戻し忘れによるキャリッジのロック不良が発生せず、キャリッジの確実なロックが可能となる。
【００６０】
また、記録ヘッドの状態を維持・回復するための維持回復装置を備え、キャリッジロック部材が維持回復装置に配置されていることにより、キャリッジロック部材が画像形成装置本体に引っ掛かることなく維持回復装置を着脱することができる。
【００６１】
また、キャリッジロック部材をロック方向に付勢する付勢手段を有することで、第二の非ロック位置でのキャリッジロック部材の保持が解除されたときに、自動的にキャリッジロック部材を戻すことができる。
【００６２】
また、キャリッジロック部材とキャッピング手段が駆動部材を介して連動するように構成されていることで、キャッピング手段によるキャッピングあるいはキャッピングを解除する動作に連動してキャリッジロック部材を移動させることができる。
【００６３】
また、記録ヘッドとして、同色の記録液を吐出する複数のヘッドが副走査方向にずれて配置された記録ヘッドを含み、キャリッジロック部材とキャリッジとの係合部がガイド部材（ガイドロッド）の近傍に設けられていることで、大きく且つ重量の大きなキャリッジであっても確実にロックすることが可能となる。
【００６４】
以上、本発明を図示例により説明したが、本発明はこれに限定されるものではない。「液体」とは、記録液、インクに限るものではなく、吐出されるときに流体となるものであれば特に限定されるものではない。また、記録ヘッドの構成は任意である。吐出方式も任意の方式を採用可能である。
【００６５】
キャリッジロック部材の形状や構成も、本発明を実施できるものであれば適宜なものを採用可能である。ロック部材が係合される係合部も凹部や溝に限定されるものではない。ロック部材側に凹部や溝を設け、キャリッジ側に凸形状を設けてもよい。その他、キャッピング手段の駆動部材や、キャリッジロック部材を保持する構成も任意な構成を採用可能である。
【００６６】
画像形成装置としてはプリンタに限らず、複写機、ファクシミリ、プロッタ等でもよい。あるいは複数の機能を備える複合機であってもよい。なお、「画像形成装置」は画像形成・画像記録を行うものに限定されない。
【符号の説明】
【００６７】
１            画像形成装置本体
３            ガイドロッド（ガイド部材）
５            キャリッジ
６            記録ヘッド
５１          ヘッドホルダ
６１          維持回復装置
６２          キャップ（キャッピング手段）
６５          キャリッジロック部材
６６          カム部材（駆動部材）
６７          リンク部材
１０１        キャップホルダ
１０２        補助部材
１２０        ロック部材係合部
１３０        本体側板
１４５        引張スプリング
【先行技術文献】
【特許文献】
【００６８】
【特許文献１】特開２０００−０８５１５６号公報
【特許文献２】特開平０９−０６９８９９号公報
【特許文献３】特許第４６１４８４０号公報
【図１】
2016068517.tif 000003
【図２】
2016068517.tif 000004
【図３】
2016068517.tif 000005
【図４】
2016068517.tif 000006
【図５】
2016068517.tif 000007
【図６】
2016068517.tif 000008
【図７】
2016068517.tif 000009
【図８】
2016068517.tif 000010
【図９】
2016068517.tif 000011
【図１０】
2016068517.tif 000012
【図１１】
2016068517.tif 000013
【図１２】
2016068517.tif 000014
【図１３】
2016068517.tif 000015
【図１４】
2016068517.tif 000016
【図１５】
2016068517.tif 000017
【図１６】
2016068517.tif 000018
【図１７】
2016068517.tif 000019